(57)【要約】      （修正有）【課題】便利で運動効果がよく、筋肉痛を緩和できる手持ちマッサージャーを提供する。【解決手段】フルシリコン振動加熱マッサージャーであって、インナーケース１、アウタースリーブ２及びムーブメント３を含み、インナーケースは中空構造であり、アウタースリーブはインナーケースの外周に覆設され、インナーケースを包囲し、且つシリコーン材質であり、ムーブメントはインナーケース内に設置され、モーター３１、モーターの両側の出力軸に接続される第１偏心軸３２及び第２偏心軸３３、バッテリー３５、回路基板３６及びコントロールパネル３７を含み、モーターはインナーケース内に固定され、モーター及び回路基板はバッテリーに接続され、モーター及びコントロールパネルは回路基板に接続される。モーターを介して第１及び第２偏心軸の回転を連動し、第１及び第２偏心軸が回転して遠心力を生成し、さらに振動を発生させ、ダンベルに振れ機能を持たせる。【選択図】図１
0003226196.tif 000002
【実用新案登録請求の範囲】
【請求項１】
フルシリコン振動加熱マッサージャーであって、インナーケース、アウタースリーブ及びムーブメントを含み、インナーケースは中空構造であり、前記アウタースリーブはインナーケースの外周に覆設され、インナーケースを包囲し、且つシリコーン材質であり、ムーブメントはインナーケース内に設置され、モーター、モーターの両側の出力軸に接続される第１偏心軸及び第２偏心軸、バッテリー、回路基板及びコントロールパネルを含み、モーターはインナーケース内に固定され、モーター及び回路基板はバッテリーに接続され、前記モーター及びコントロールパネルは回路基板に接続される
ことを特徴とするフルシリコン振動加熱マッサージャー。
【請求項２】
前記ムーブメントは、インナーケースの外面に設置され且つアウタースリーブの内面に位置し、前記回路基板に接続される加熱板をさらに含む
ことを特徴とする請求項１に記載のフルシリコン振動加熱マッサージャー。
【請求項３】
前記インナーケースの外面とアウタースリーブの内面に互いに嵌合される凹溝及び凸状ブロックがさらに設けられる
ことを特徴とする請求項１または２に記載のフルシリコン振動加熱マッサージャー。
【請求項４】
前記インナーケースは左ハウジング及び右ハウジングによりスナップ嵌めするように構成され、中心が凹んで、両側が外へ突き出した曲面構造であり、凹状部分が使用者の把持を容易にし、前記加熱板は２枚含み、インナーケースの２つの突出した曲面に対称に設置される
ことを特徴とする請求項２に記載のフルシリコン振動加熱マッサージャー。
【請求項５】
前記アウタースリーブの外面に複数のマッサージ凸粒が分布される
ことを特徴とする請求項１に記載のフルシリコン振動加熱マッサージャー。
【請求項６】
前記アウタースリーブは中部及び両側部として設置され、アウタースリーブの中部がインナーケースの凹状部位に対応し、両側部がインナーケースの突出部分に対応する
ことを特徴とする請求項１に記載のフルシリコン振動加熱マッサージャー。
【請求項７】
前記コントロールパネルに電源ボタン、加熱ボタン及び振動ボタンが設置され、コントロールパネルにおける各ボタンはインナーケースの外に突き出している
ことを特徴とする請求項１に記載のフルシリコン振動加熱マッサージャー。
【請求項８】
前記インナーケースが加熱板に対応する位置に凹状の取り付け溝が形成され、加熱板が取り付け溝に取り付けられた後、加熱板の頂面はインナーケースの外面と同一平面上にある
ことを特徴とする請求項２に記載のフルシリコン振動加熱マッサージャー。
【考案の詳細な説明】
【技術分野】
【０００１】
本実用新案は手持ちマッサージャーの技術分野に関し、特にフルシリコン振動加熱マッサージャーに関する。
【背景技術】
【０００２】
急速な経済発展に伴い、人々の生活水準は持続的に向上していて、健康意識も徐々に高まり、より多くの人々はフィットネス運動を重視し始める。フィットネス運動を通じて人間の健康状況を効果的に改善することができ、体力を強化する。現在、フィットネススポーツは様々であり、より一般的なものはエアロビクス、ヨガ、ジョギング、水泳がある。フィットネス運動中に、フィットネス運動を支援するように、フィットネス機器を助ける必要がある場合が多い。現在、ヨガフィットネス運動中に、筋肉のストレッチと牽引運動を行い、及び運動後に体の様々な複数の部位をマッサージするために、通常、補助機器によって達成する必要がある。
【０００３】
ダンベル運動と組み合わせたヨガは、下半身を運動させ、下半身をより強く、より柔軟にさせ、姿勢を直立にすることができ、それだけでなく、ヨガ練習時にダンベルを組み合わせると、腕、肩及び背中を運動させることができる。同様に、エクササイザーの上半身をより強力にする。そして、ヨガとダンベルも簡単に体重を減らすことができ、且つ体重減少効果は２倍になる。
【０００４】
但し、従来のヨガとダンベルの機能が単一であり、鉄質のダンベルは把持時に冷たくて手触りが悪く、機能が単一であり、エクササイザーを運動することのみを補助し、運動時間が長いまたは強度がやや大きいと筋肉痛を発生させるという欠陥が存在する。
【考案の概要】
【考案が解決しようとする課題】
【０００５】
本実用新案は、従来技術の欠陥を克服するために、使用に便利であり、運動効果がよく、且つ筋肉痛を緩和できるフルシリコン振動加熱マッサージャーを提供することを目的とする。
【課題を解決するための手段】
【０００６】
上記の目的を達成するために、本実用新案の技術的解決手段は、以下のとおりであり、
フルシリコン振動加熱マッサージャーであって、インナーケース、アウタースリーブ及びムーブメントを含み、インナーケースは中空構造であり、前記アウタースリーブはインナーケースの外周に覆設され、インナーケースを包囲し、且つシリコーン材質であり、ムーブメントはインナーケース内に設置され、モーター、モーターの両側の出力軸に接続される第１偏心軸及び第２偏心軸、バッテリー、回路基板及びコントロールパネルを含み、モーターはインナーケース内に固定され、モーター及び回路基板はバッテリーに接続され、前記モーター及びコントロールパネルは回路基板に接続される。
【０００７】
上記の解決手段を用いた後、本実用新案によるフルシリコン振動加熱マッサージャーは、モーターを介して第１偏心軸及び第２偏心軸の回転を連動し、第１偏心軸及び第２偏心軸は回転して遠心力を生成し、さらに振動を発生させ、本実用新案のダンベルに振れ機能を持たせ、２つの偏心軸の設計によって振動効果を向上させることができる。従来の鉄質のダンベルに比べ、本実用新案はインナーケースの外周にシリコーン材質のアウタースリーブを覆設し、その把持手触りがよりよく、使用により便利になり、快適さがより高い。振れ機能を備えるため、ダンベルの使用時に振れを発生でき、運動効果がより良く、且つ該フルシリコン振動加熱マッサージャーの振れ機能によって使用者の筋肉痛を効果的に緩和することができる。
【０００８】
さらに、前記ムーブメントは、インナーケースの外面に設置され且つアウタースリーブの内面に位置し、前記回路基板に接続される加熱板をさらに含む。
【０００９】
上記の構造を用いた後、本実用新案のフルシリコン振動加熱マッサージャーは、回路基板に接続される加熱板を設置することにより、本実用新案にさらに加熱機能を持たせ、該フルシリコン振動加熱マッサージャーの使用中に、振れ機能を備える以外、ホットパック機能を有し、さらに筋肉痛を緩和する。
【００１０】
さらに、アウタースリーブがインナーケースに対する回転または滑り落ちを防止するために、インナーケースの外面とアウタースリーブの内面に互いに嵌合される凹溝及び凸状ブロックがさらに設けられる。
【００１１】
さらに、前記インナーケースは左ケース及び右ケースによりスナップ嵌めするように構成され、中心が凹んで、両側が外へ突起した曲面構造であり、凹状部分が使用者の把持を容易にし、前記加熱板は２枚含み、インナーケースの２つの突出した曲面に設置される。
【００１２】
さらに、マッサージの手触りを向上させるために、前記アウタースリーブの外面に複数のマッサージ凸粒が分布される。
【００１３】
さらに、アウタースリーブをインナーケースに套設することを容易にするために、前記アウタースリーブは中部及び両側部として設置され、アウタースリーブの中部がインナーケースの凹状部位に対応し、両側部がインナーケースの突起部分に対応する。
【００１４】
さらに、前記コントロールパネルに電源ボタン、加熱ボタン及び振動ボタンが設置され、コントロールパネルにおける各ボタンはインナーケースの外に突き出している。
【００１５】
さらに、前記インナーケースが加熱板に対応する位置に凹状の取り付け溝が形成され、加熱板が取り付け溝に取り付けられた後、加熱板の頂面はインナーケースの外面と同一平面上にある。
【図面の簡単な説明】
【００１６】
【図１】本実用新案の構造模式図である。
【考案を実施するための形態】
【００１７】
本実用新案の技術的解決手段をさらに説明するために、以下、具体的な実施例を通じて本実用新案を詳細に述べる。
【００１８】
本実用新案の記述において、専門用語の「中心」、「縦方向」、「横方向」、「上」、「下」、「前」、「後」、「左」、「右」、「垂直」、「水平」、「頂」、「底」、「内」、「外」等の指示方位または位置関係は添付図に基づいた方位または位置関係であり、ただ本実用新案の記述の便宜と記述の簡略化を図るためのものであり、言われた装置または部品が必ず特定の方位を備え、特定の方位で構造して及び操作することを指示または暗示しないため、本実用新案を制限するものと理解されることができない。本実用新案の記述において、特に明記しない限り、「複数」は２つまたはそれ以上であるのを意味する。
【００１９】
図１に示すように、本実用新案はフルシリコン振動加熱マッサージャーを開示し、インナーケース１、アウタースリーブ２及びムーブメント３を含む。
【００２０】
インナーケース１は中空構造であり、左ケース１１及び右ケース１２によりスナップ嵌めするように構成され、中心部が凹み、両側が外へ突起した曲面構造であり、使用者の把持を容易にする。前記アウタースリーブ２はインナーケース１の外周に覆設されてインナーケース１の構造に対応し、ムーブメント３はインナーケース１の中空部内に設置される。
【００２１】
前記ムーブメント３はモーター３１、モーター３１の両側の出力軸に接続される第１偏心軸３２及び第２偏心軸３３、加熱板３４、バッテリー３５、回路基板３６及びコントロールパネル３７を含む。モーター３１はインナーケース１内に固定され、モーター３１及び回路基板３６はバッテリー３５に接続され、前記加熱板３４、モーター３１及びコントロールパネル３７は回路基板３６に接続される。コントロールパネル３７に電源ボタン、加熱ボタン及び振動ボタンが設置され、コントロールパネル３７における各ボタンはインナーケース１の外へ突き出し、使用者の制御に用いられる。前記加熱板３４はインナーケース１の外面に設置され、インナーケース１が加熱板３４に対応する位置に凹状の取り付け溝が形成され、加熱板３４が取り付け溝に取り付けられた後、加熱板３４の頂面はインナーケース１の外面と同一平面上にある。好ましくは、前記加熱板３４は２枚備えられ、インナーケース１の両側の突起部に対称に設置される。ムーブメント３は作動する時、バッテリー３５によって給電され、モーター３１の回転を連動し、モーター３１の両側に接続される第１偏心軸３２及び第２偏心軸３３は遠心力を生成し、振動を発生させ、加熱ボタンをオンにした後、本実用新案は加熱及び振動の機能を同時に備えることができ、マッサージとホットパックの効き目を果たし、筋肉痛を緩和する役割を立つ。本実用新案は２つの偏心軸（第１偏心軸３２及び第２偏心軸３３）を用いて偏心強度を強化する。
【００２２】
本実用新案におけるフルシリコン振動加熱マッサージャーの使用時の快適さを高めるために、前記アウタースリーブ２の材質はシリコーンであり、且つインナーケース１をアウタースリーブ２で包囲する。ムーブメント３は装着された後、シリコーン材質の特性を用いて、アウタースリーブ２をインナーケース１に締め付け、アウタースリーブ２がインナーケース１に対する回転または滑り落ちを防止するために、インナーケース１の外面とアウタースリーブ２との内面に互いに嵌合される凹溝及び凸状ブロックがさらに設けられ、凹溝及び凸状ブロックの設置には様々な方法があるが、例えば、インナーケース１及びアウタースリーブ２にそれぞれ凹溝及び凸状ブロックを同時に設置したり、インナーケース１に凹溝を設置し、アウタースリーブ２に凹溝に嵌合される凸状ブロックを設置したり、インナーケース１に凸状ブロックを設置し、アウタースリーブ２に凸状ブロックに嵌合される凹溝を設置したりする。
【００２３】
マッサージ手触りを向上させるために、前記アウタースリーブ２の外面に複数のマッサージ凸粒２１が分布され、マッサージ凸粒２１はマッサージの触感を増加させる以外、滑り止め機能を備える。アウタースリーブ２をインナーケース１に取り付けることを容易にするために、前記アウタースリーブ２は中部及び両側部として設置され、アウタースリーブ２の中部がインナーケース１の凹状部位に対応し、両側部がインナーケース１の突起部分に対応する。
【００２４】
本実用新案は、組み立て時、まずムーブメント３のモーター３１の両端に第１偏心軸３２及び第２偏心軸３３を装着し、モーター３１、バッテリー３５及び回路基板３６をインナーケース１内に固定し、コントロールパネル３７はモーター３１に接続され且つインナーケース１の一端に装着され、コントロールパネル３７における各ボタンをインナーケース１の外へ突き出させ、加熱板３４はインナーケース１の外周に装着されて且つ回路基板３６に接続され、ムーブメント３が装着された後、シリコーン材質の弾性を用いて、アウタースリーブ２の中部及び両側部をそれぞれインナーケース１に套設し、凹溝及び凸状ブロックの位置制限作用によってアウタースリーブの滑り落ちと回転を防止する。使用時、使用者は本実用新案の中央凹部を手で持ち、コントロールパネル３７におけるボタンを押し、バッテリー３５によって給電し、モーター３１の回転を連動し、２つの偏心軸は遠心力を生成し、振動機能を発生させ、加熱板３４は加熱機能を備え、それによりマッサージ及びホットパックの効き目を果たし、筋肉痛を緩和し、長時間または過度の運動による筋肉痛を軽減できる。
【００２５】
上記の実施例と図面は本実用新案の製品形態と仕様を限定するものではなく、当業者の誰でも、行った適切な変化や修飾はすべて本実用新案登録請求の範囲を逸脱しないものと見なされるべきである。
【符号の説明】
【００２６】
１：インナーケース
２：アウタースリーブ
３：ムーブメント
１１：左ケース
１２：右ケース
３１：モーター
３２：第１偏心軸
３３：第２偏心軸
３４：加熱板
３５：バッテリー
３６：回路基板
３７：コントロールパネル
【図１】
0003226196.tif 000003